(57)【要約】【課題】底蓋片の変形による空隙を生じさせることのないワンタッチで組み立て可能なボトムロック式包装箱を提供すること。【解決手段】ブランク10を縦方向の折り曲げ線a に沿って折り曲げ、ついで、第１妻板舌片111,表面側板底片121,第２妻板舌片131,背面側板底片141 をそれぞれ横方向の折り曲げ線b に沿って折り込み、固定片123 を斜め方向の折り曲げ線c に沿って谷折りし、固定片143 を斜め方向の折り曲げ線c に沿って谷折りし、第２妻板舌片の表面と固定片143 の裏面を貼着し、第１妻板舌片の表面と固定片123 の裏面を貼着し、糊代片15を第１妻板舌片の裏面に貼着して、偏平に折り畳んだブランクをワンタッチで角筒状に起こした際、表面側板底片の嵌合切り欠き122 と背面側板底片の嵌合切り欠き142 とが互いに嵌合して、包装箱の底部に固定される。【選択図】図２
2006069566.tif 000002
【特許請求の範囲】
【請求項１】
一枚のブランクを組み立てて成るボトムロック式包装箱であって、前記ブランクは、
第１妻板、表面側板、第２妻板、背面側板、糊代片がそれぞれ縦方向の折り曲げ線を介して連設され、
前記第１妻板、表面側板、第２妻板、背面側板の下端縁にはそれぞれ横方向の折り曲げ線を介して、第１妻板舌片、表面側板底片、第２妻板舌片、背面側板底片が連設され、
前記表面側板底片の略中央部分に、先端縁から内方に略鍵穴状の嵌合切り欠きが設けられ、
前記表面側板底片の第１妻板舌片寄りには、隅角から嵌合切り欠きに向けて設けられた斜め方向の折り曲げ線により略三角形状の固定片が区画形成され、
前記背面側板底片の略中央部分に、先端縁から内方に略鍵穴状の嵌合切り欠きが設けられ、
前記背面側板底片の第２妻板舌片寄りには、隅角から嵌合切り欠きに向けて設けられた斜め方向の折り曲げ線により略三角形状の固定片が区画形成された構造からなり、
前記ブランクを縦方向の折り曲げ線に沿って折り曲げ、ついで、第１妻板舌片、表面側板底片、第２妻板舌片、背面側板底片をそれぞれ横方向の折り曲げ線に沿って折り込み、表面側板底片の固定片を斜め方向の折り曲げ線に沿って谷折りし、背面側板底片の固定片を斜め方向の折り曲げ線に沿って谷折りし、第２妻板舌片の表面と背面側板底片に区画形成された固定片の裏面を貼着し、第１妻板舌片の表面と表面側板底片に区画形成された固定片の裏面を貼着し、糊代片を第１妻板の裏面に貼着して、偏平に折り畳んだブランクをワンタッチで角筒状に起こした際、表面側板底片の嵌合切り欠きと背面側板底片の嵌合切り欠きとが互いに嵌合して、包装箱の底部が固定されることを特徴とする、ボトムロック式包装箱。
【請求項２】
前記表面側板底片の嵌合切り欠きより固定片寄りの奥行きは、隣接する第２妻板舌片寄りの奥行きより短く形成され、前記背面側板底片の嵌合切り欠きより固定片寄りの奥行きは、隣接する第１妻板舌片寄りの奥行きより短く形成されていることを特徴とする、請求項１記載のボトムロック式包装箱。
【発明の詳細な説明】
【技術分野】
【０００１】
本発明は、ワンタッチ底におけるボトムロック式包装箱に関するものであり、特には、ワンタッチ底に空隙を生じさせない構造を有するボトムロック式包装箱に関する。
【背景技術】
【０００２】
従来、運搬時や保管時には、偏平に折り畳んだ状態で省スペースを発揮し、使用時にはワンタッチで有底の角筒形状に組み立てて使用するボトムロック式の包装箱が知られている（例えば、特許文献１、特許文献２参照）。
【０００３】
上記先行技術文献を示す。
【特許文献１】実公昭３２−７７８８号公報。
【特許文献２】実公昭３２−１５９８３号公報。
【０００４】
これらの技術を簡単に説明する。例えば、図４に示すように、ダンボールや板紙などから形成される包装箱であって、妻板（２２１，２２３）及び側板（２２２，２２４）並びに糊代片（２２５）が、縦方向の折り曲げ線（ａ）により区画され、さらに、妻板（２２１，２２３）及び側板（２２２，２２４）の下端縁には、底蓋を構成する４枚の底蓋片（２２６，２２７，２２８，２２９）が横方向の折り曲げ線（ｂ）を介して連設されている。
【０００５】
底蓋片（２２７，２２９）の隅角部には、斜め方向の折り曲げ線（ｃ）を介して固定片（２３０，２３１）が配設されている。
【０００６】
そして、この従来例は、折り曲げ線（ａ）に沿って折り込み、糊代片（２２５）を妻板（２２１）の裏面に貼着して角筒状に形成し、かつ、底蓋は底蓋片（２２６，２２８）と固定片（２３０，２３１）とを糊付け、あるいはステッチ止めなどの方法により固定されている。
【０００７】
使用時には、側板や妻板が接合する偏平状態から底部を菱形から角形にワンタッチで変形させて角筒状に形成する。
【０００８】
箱全体を角筒状にすると、自動的に底蓋片（２２６，２２７，２２８，２２９）は、ボトムロック式の底蓋を形成するようになり、その後、箱内に製品を収納して運搬や保管などに使用される。
【発明の開示】
【発明が解決しようとする課題】
【０００９】
ところが以上の従来例では、折り畳んだ角筒状のスリーブを自動的に起こすだけで包装箱に組み立てることができるという利点はあるが、組み立てた後に包装箱に斜め方向に押しつぶすような力が働くと、互いに隣接する底蓋片の間に簡単に隙間が生じてしまい、製品が脱落したり抜き取られたりするおそれがある。
【００１０】
また、特に横長の包装箱の場合には、底蓋片を少し撓ませただけでも包装箱の底に隙間ができてしまう。従って，本来の開口部を開けることなく、底蓋を変形させて隙間を生じさせ、そこから中身を抜き取ることもできるという問題がある。
【００１１】
本発明は、ワンタッチで組み立て可能なボトムロック式の包装箱に関する以上のような問題に鑑みてなされたもので、底蓋片の変形による空隙を生じさせることのないように底蓋片をロックにより嵌合させたワンタッチで組み立て可能なボトムロック式包装箱を提供することを課題とする。
【課題を解決するための手段】
【００１２】
本発明の請求項１の発明は、一枚のブランクを組み立てて成るボトムロック式包装箱であって、前記ブランクは、第１妻板、表面側板、第２妻板、背面側板、糊代片がそれぞれ縦方向の折り曲げ線を介して連設され、前記第１妻板、表面側板、第２妻板、背面側板の下端縁にはそれぞれ横方向の折り曲げ線を介して、第１妻板舌片、表面側板底片、第２妻板舌片、背面側板底片が連設され、前記表面側板底片の略中央部分に、先端縁から内方に略鍵穴状の嵌合切り欠きが設けられ、前記表面側板底片の第１妻板舌片寄りには、隅角から嵌合切り欠きに向けて設けられた斜め方向の折り曲げ線により略三角形状の固定片が区画形成され、前記背面側板底片の略中央部分に、先端縁から内方に略鍵穴状の嵌合切り欠きが設けられ、前記背面側板底片の第２妻板舌片寄りには、隅角から嵌合切り欠きに向けて設けられた斜め方向の折り曲げ線により略三角形状の固定片が区画形成された構造からなり、前記ブランクを縦方向の折り曲げ線に沿って折り曲げ、ついで、第１妻板舌片、表面側板底片、第２妻板舌片、背面側板底片をそれぞれ横方向の折り曲げ線に沿って折り込み、表面側板底片の固定片を斜め方向の折り曲げ線に沿って谷折りし、背面側板底片の固定片を斜め方向の折り曲げ線に沿って谷折りし、第２妻板舌片の表面と背面側板底片に区画形成された固定片の裏面を貼着し、第１妻板舌片の表面と表面側板底片に区画形成された固定片の裏面を貼着し、糊代片を第１妻板の裏面に貼着して、偏平に折り畳んだブランクをワンタッチで角筒状に起こした際、表面側板底片の嵌合切り欠きと背面側板底片の嵌合切り欠きとが互いに嵌合して、包装箱の底部が固定されることを特徴とする、ボトムロック式包装箱である。
【００１３】
このように請求項１記載の発明によれば、表面側板底片の略中央部分に、先端縁から内方に略鍵穴状の嵌合切り欠きが設けられ、表面側板底片の第１妻板舌片寄りには、隅角から嵌合切り欠きに向けて設けられた斜め方向の折り曲げ線により略三角形状の固定片が区画形成され、背面側板底片の略中央部分に、先端縁から内方に略鍵穴状の嵌合切り欠きが設けられ、背面側板底片の第２妻板舌片寄りには、隅角から嵌合切り欠きに向けて設けられた斜め方向の折り曲げ線により略三角形状の固定片が区画形成された構成からなるので、ブランクを縦方向の折り曲げ線に沿って折り曲げ、ついで、第１妻板舌片、表面側板底片、第２妻板舌片、背面側板底片をそれぞれ横方向の折り曲げ線に沿って折り込み、表面側板底片の固定片を斜め方向の折り曲げ線に沿って谷折りし、背面側板底片の固定片を斜め方向の折り曲げ線に沿って谷折りし、第２妻板舌片の表面と背面側板底片に区画形成された固定片の裏面を貼着し、第１妻板舌片の表面と表面側板底片に区画形成された固定片の裏面を貼着し、糊代片を第１妻板の裏面に貼着して、偏平に折り畳んだブランクをワンタッチで角筒状に起こすと、表面側板底片の嵌合切り欠きと背面側板底片の嵌合切り欠きとは互いに嵌合して、包装箱の底部が固定して、包装箱の底蓋を構成する第１妻板舌片、表面側板底片、第２妻板舌片、背面側板底片が、内側に立ち上がることを防止する。
【００１４】
また、請求項２の発明は、請求項１の発明において、前記表面側板底片の嵌合切り欠きより固定片寄りの奥行きは、隣接する第２妻板舌片寄りの奥行きより短く形成され、前記背面側板底片の嵌合切り欠きより固定片寄りの奥行きは、隣接する第１妻板舌片寄りの奥行きより短く形成されていることを特徴とする、ボトムロック式包装箱である。
【００１５】
このように請求項２記載の発明によれば、表面側板底片の嵌合切り欠きより固定片寄りの奥行きは、隣接する第２妻板舌片寄りの奥行きより短く形成され、前記背面側板底片の
嵌合切り欠きより固定片寄りの奥行きは、隣接する第１妻板舌片寄りの奥行きより短く形成されているので、偏平に折り畳んだブランクをワンタッチで角筒状に起こす際、包装箱の底部の組み立てが無理なく行え、素早く底蓋が形成できる。
【発明の効果】
【００１６】
このように本発明のボトムロック式包装箱は、ワンタッチ底の中央嵌合部分に鍵穴状の凹みを設けて、より強固に嵌合させるとともに一旦嵌合した底部が抜け難くした構造としたので底蓋の変形が防止でき、ワンタッチ底の変形による中抜き行為を防止できる。（中抜きとは、本来の開口部を開けることなく、底部等を変形させて空隙を生じさせ、その空隙から中身の商品等を抜き出し不正に使用することをいう）。
【発明を実施するための最良の形態】
【００１７】
本発明を一実施形態に基づいて以下に詳細に説明する。
本発明のボトムロック式の包装箱は、一枚の板紙やダンボールシートを組み立てて成るものである。
【００１８】
そしてそのブランク（１０）は、例えば図１に示すように、第１妻板（１１）、表面側板（１２）、第２妻板（１３）、背面側板（１４）、糊代片（１５）がそれぞれ縦方向の折り曲げ線（ａ）を介して連設されている。
【００１９】
第１妻板（１１）、表面側板（１２）、第２妻板（１３）、背面側板（１４）の下端縁にはそれぞれ横方向の折り曲げ線（ｂ）を介して、第１妻板舌片（１１１）、表面側板底片（１２１）、第２妻板舌片（１３１）、背面側板底片（１４１）が連設されている。
【００２０】
第１妻板（１１）の上端縁には横方向の折り曲げ線を介して第１妻板蓋舌片（１１２）が連設されている。
【００２１】
表面側板底片（１２１）の略中央部分には、先端縁から内方に略鍵穴状の嵌合切り欠き（１２２）が設けられている。
【００２２】
表面側板底片（１２１）の第１妻板舌片（１１１）寄りには、隅角から嵌合切り欠き（１２２）に向けて斜め方向に折り曲げ線（ｃ）が設けられ、この折り曲げ線（ｃ）により略三角形状の固定片（１２３）が区画形成されている。
斜め方向の折り曲げ線（ｃ）は、隅角より内方に４５°の角度で形成させることが好ましい。このことにより、底部をワンタッチで抵抗なく偏平状態から角筒状に起こすことができる。
【００２３】
また、表面側板底片（１２１）の嵌合切り欠き（１２２）より固定片（１２３）寄りの奥行きは、隣接する第２妻板舌片（１３１）寄りの奥行きより短く形成され、背面側板底片（１４１）の嵌合切り欠き（１４２）より固定片（１４３）寄りの奥行きは、隣接する第１妻板舌片（１１１）寄りの奥行きより短く形成されている。このことにより、偏平に折り畳んだブランクをワンタッチで角筒状に起こす際、包装箱の底部の組み立てが無理なく行え、素早く底蓋が形成できる。
【００２４】
第２妻板（１３）の上端縁には横方向の折り曲げ線を介して第２妻板蓋舌片（１３２）が連設されている。
【００２５】
背面側板底片（１４１）の略中央部分には、先端縁から内方に略鍵穴状の嵌合切り欠き（１４２）が設けられている。
【００２６】
背面側板底片（１４１）の第２妻板舌片（１３１）寄りには、隅角から嵌合切り欠き（１４２）に向けて斜め方向に折り曲げ線（ｃ）が設けられ、この折り曲げ線（ｃ）により略三角形状の固定片（１４３）が区画形成されている。
斜め方向の折り曲げ線（ｃ）は、隅角より内方に４５°の角度で形成させることが好ましい。
【００２７】
背面側板（１４）の上端縁には、横方向の折り曲げ線を介して天板（１４４）が連設され、天板（１４４）の先端縁には、横方向の折り曲げ線を介して天板差し込み片（１４５）が連設されている。
【００２８】
本発明のボトムロック式包装箱のブランク（１０）は、以上のような構造からなっている。つぎに、このブランクを包装箱に組み立てる手順を述べる。
【００２９】
このブランク（１０）を縦方向の折り曲げ線（ａ）に沿って折り曲げる。ついで、第１妻板舌片（１１１）、表面側板底片（１２１）、第２妻板舌片（１３１）、背面側板底片（１４１）をそれぞれ横方向の折り曲げ線（ｂ）に沿って折り込む。
【００３０】
表面側板底片（１２１）の固定片（１２３）を斜め方向の折り曲げ線（ｃ）に沿って谷折りし、背面側板底片（１４１）の固定片（１４３）を斜め方向の折り曲げ線（ｃ）に沿って谷折りする。
【００３１】
第２妻板舌片（１３１）の表面と背面側板底片（１４１）に区画形成された固定片（１４３）の裏面を貼着し、第１妻板舌片（１１１）の表面と表面側板底片（１２１）に区画形成された固定片（１２３）の裏面を貼着し、糊代片（１５）を第１妻板（１１）の裏面に貼着する。
【００３２】
このようにしてブランク（１０）を偏平に折り畳んだ状態に形成する。
この偏平に折り畳んだブランクをワンタッチで角筒状に起こすと、表面側板底片（１２１）の嵌合切り欠き（１２２）と背面側板底片（１４１）の嵌合切り欠き（１４２）とは互いに嵌合して、包装箱の底部は固定される。
【００３３】
最後に、内容物を包装箱に収納した後、第１妻板蓋舌片（１１２）、第２妻板蓋舌片（１３２）、天面（１４４）を折り曲げ、天板差し込み片（１４５）を表面側板（１２）の裏面に差し込み包装箱の封緘が終了する。
【００３４】
従って、表面側板底片（１２１）の嵌合切り欠き（１２２）と背面側板底片（１４１）の嵌合切り欠き（１４２）とは互いに嵌合して、包装箱の底部は固定されているので、包装箱の底蓋を構成する第１妻板舌片（１１１）、表面側板底片（１２１）、第２妻板舌片（１３１）、背面側板底片（１４１）が、内側に立ち上がることを阻止しており、包装箱の底蓋に空隙を生じることがない。
【図面の簡単な説明】
【００３５】
【図１】本発明のボトムロック式包装箱のブランクの一実施例を示す、平面説明図である。
【図２】図１のブランクをボトムロック式包装箱に組み立て途上の状態を示す、底面から見た斜視説明図である。
【図３】図１のブランクをボトムロック式包装箱に組み立てた状態を示す、底面から見た斜視説明図である。
【図４】従来のボトムロック式包装箱のブランクの一例を示す、平面説明図である。
【符号の説明】
【００３６】
１０‥‥ブランク
１１‥‥第１妻板
１２‥‥表面側板
１３‥‥第２妻板
１４‥‥背面側板
１５‥‥糊代片
１１１‥‥第１妻板舌片
１１２‥‥第１妻板蓋舌片
１２１‥‥表面側板底片
１２２‥‥嵌合切り欠き
１２３‥‥固定片
１３１‥‥第２妻板舌片
１３２‥‥第２妻板蓋舌片
１４１‥‥背面側板底片
１４２‥‥嵌合切り欠き
１４３‥‥固定片
１４４‥‥天板
１４５‥‥天板差し込み片
２２１‥‥側板
２２２‥‥側板
２２３‥‥妻板
２２４‥‥妻板
２２５‥‥糊代片
２２６‥‥底蓋片
２２７‥‥底蓋片
２２８‥‥底蓋片
２２９‥‥底蓋片
２３０‥‥固定片
２３１‥‥固定片
ａ‥‥縦方向の折り曲げ線
ｂ‥‥横方向の折り曲げ線
ｃ‥‥斜め方向の折り曲げ線
【図１】
2006069566.tif 000003
【図２】
2006069566.tif 000004
【図３】
2006069566.tif 000005
【図４】
2006069566.tif 000006